(57)【特許請求の範囲】
【請求項１】
合成樹脂により箱状に形成されるケース体に、パチンコ球が連続して供給される供給通路と、前記供給通路の下流側の回転体収納部に位置し該供給通路内のパチンコ球を１個づつ送り出す送出手段と、前記送出手段の作動により払い出されたパチンコ球が排出される排出通路とを備えてなるパチンコ球の払出装置において、
前記ケース体は、一側面が開放される枠体部と該枠体部に重合して前記一側面を覆うことにより前記供給通路及び排出通路が形成される側壁板部とを備え、かつ前記枠体部と側壁板部をそれぞれ互いに一側縁で連接部を介し必要個数連結して一体に成形され、前記各枠体部に外端で開放しかつ奥端が前記回転体収納部の略中心に達し前記送出手段が挿入される軸導入溝を設け、前記枠体部と側壁板部には互いに重合することにより係合し得る係合部と被係合部をそれぞれ設け、前記枠体部と側壁板部とを前記連接部を中心として互いに折り重ね前記係合部と被係合部を係合させることによりケース体を組み立てるようにしたことを特徴とするパチンコ球の払出装置。
【請求項２】
合成樹脂により箱状に形成されるケース体に、パチンコ球が連続して供給される供給通路と、前記供給通路の下流側の回転体収納部に位置し該供給通路内のパチンコ球を１個づつ送り出す送出手段と、前記送出手段の作動により払い出されたパチンコ球が排出される排出通路とを備えてなるパチンコ球の払出装置において、
前記ケース体は、一側面が開放される１個の枠体部と該枠体部に重合して前記一側面を覆うことにより前記供給通路及び排出通路が形成される１個の側壁板部とからなり、前記枠体部と側壁板部を互いに一側縁で連接部を介し連結して一体に成形され、前記枠体部と前記側壁板部とに外端で開放しかつ奥端が前記回転体収納部の略中心に達し前記送出手段が挿入される軸導入溝を設け、前記枠体部と側壁板部には互いに重合することにより係合し得る係合部と被係合部をそれぞれ設け、前記枠体部と側壁板部とを前記連接部を中心として互いに折り重ね前記係合部と被係合部を係合させることによりケース体を組み立てるようにしたことを特徴とするパチンコ球の払出装置。
【請求項３】
合成樹脂により箱状に形成されるケース体に、パチンコ球が連続して供給される供給通路と、前記供給通路の下流側の回転体収納部に位置し該供給通路内のパチンコ球を１個づつ送り出す送出手段と、前記送出手段の作動により払い出されたパチンコ球が排出される排出通路とを備えてなるパチンコ球の払出装置において、
前記ケース体は、一側面が開放される２個の枠体部と該各枠体部に重合して前記一側面を覆うことにより前記供給通路及び排出通路が形成される１個の側壁板部とからなり、かつ前記側壁板部の対向する両側縁で連接部を介し各枠体部が連結して一体に成形され、前記両枠体部に外端で開放しかつ奥端が前記回転体収納部の略中心に達し前記送出手段が挿入される軸導入溝を設け、前記各枠体部と側壁板部には互いに重合することにより係合し得る係合部と被係合部をそれぞれ設け、前記各枠体部と側壁板部とを前記連接部を中心として互いに折り重ね前記係合部と被係合部を係合させることによりケース体を組み立てるようにしたことを特徴とするパチンコ球の払出装置。
【請求項４】
合成樹脂により箱状に形成されるケース体に、パチンコ球が連続して供給される供給通路と、前記供給通路の下流側の回転体収納部に位置し該供給通路内のパチンコ球を１個づつ送り出す送出手段と、前記送出手段の作動により払い出されたパチンコ球が排出される排出通路とを備えてなるパチンコ球の払出装置において、
前記ケース体は、一側面が開放される３個の枠体部と該枠体部に重合して前記一側面を覆うことにより前記供給通路及び排出通路が形成される１個の側壁板部とからなり、かつ前記側壁板部の対向する両側縁で連接部を介し各枠体部が連結されると共に一方の枠体部一側縁に連接部を介し更に枠体部が連結して一体に成形され、前記一方の枠体部に更に連結される枠体部と前記他方の枠体部とに外端で開放しかつ奥端が前記回転体収納部の略中心に達し前記送出手段が挿入される軸導入溝を設け、前記各枠体部と側壁板部には互いに重合することにより係合し得る係合部と被係合部をそれぞれ設け、前記各枠体部と側壁板部とを前記連接部を中心として互いに折り重ね前記係合部と被係合部を係合させることによりケース体を組み立てるようにしたことを特徴とするパチンコ球の払出装置。
【発明の詳細な説明】
【０００１】
【発明の属する技術分野】
本発明は、一体に成形することにより組立作業が簡単になるばかりか製品管理も容易になし得るパチンコ球の払出装置に関するものである。
【０００２】
【従来の技術】
この種払出装置の一利用態様として、例えば特公平７−７９８６６号公報に開示されるものがある。該払出装置は、合成樹脂により箱状に形成されており、そのケース体内にパチンコ球が連続して供給される２条の供給通路と、複数の羽根を有し駆動モータにより回転される回転体と、前記駆動モータすなわち回転体の回転により払い出されたパチンコ球が排出される排出通路とを備えている。ところで、このケース体は、それぞれ別個に形成される前枠体と後枠体とその中央に介在される仕切板とからなり、組立工程においては前記仕切板の両側に前記前枠体と後枠体をそれぞれ配置して合体させると共に複数本のビスを所定の位置に挿通して締着することにより不分離一体に組立てるようにしている。そして、その後、前記駆動モータ等の必要部品が取着される。
【０００３】
【発明が解決しようとする課題】
このように、前記ケース体は、仕切板の両側面に前枠体と後枠体をそれぞれ重ねて合体させ、更に複数本のビスを螺締することにより一体に組み立てるようにしているので、組立作業が非常に煩雑で多くの時間を要し面倒となり、これが作業性の向上を阻害する一要因になっている。また、前枠体と後枠体と仕切板とをそれぞれ別個に成形していることから、この分部品の管理が必要となり製品管理を煩雑にしている。更に、前枠体、後枠体、仕切板を成形するにそれぞれ別個に金型が必要になり、これに伴い金型費が嵩むばかりか製品コストも高くなるという課題がある。
そこで、本発明は上記課題を解決すべくなされたもので、ケース体を一体に成形することにより、組立作業が簡単になるばかりか製品管理も容易になし得、更には製品コストも低廉になし得るパチンコ球の払出装置を提供することを目的とするものである。
【０００４】
かかる目的を達成するため本発明に係るパチンコ球の払出装置は、合成樹脂により箱状に形成されるケース体に、パチンコ球が連続して供給される供給通路と、該供給通路の下流側の回転体収納部に位置し該供給通路内のパチンコ球を１個づつ送り出す送出手段と、該送出手段の作動により払い出されたパチンコ球が排出される排出通路とを備えてなるパチンコ球の払出装置において、前記ケース体は、一側面が開放される枠体部と該枠体部に重合して前記一側面を覆うことにより前記供給通路及び排出通路が形成される側壁板部とを備え、かつ前記枠体部と側壁板部をそれぞれ互いに一側縁で連接部を介し必要個数連結して一体に成形され、前記各枠体部に外端で開放しかつ奥端が前記回転体収納部の略中心に達し前記送出手段が挿入される軸導入溝を設け、前記枠体部と側壁板部には互いに重合することにより係合し得る係合部と被係合部をそれぞれ設け、前記枠体部と側壁板部とを前記連接部を中心として互いに折り重ね前記係合部と被係合部を係合させることによりケース体を組み立てるようにした構成からなる。
【０００５】
このように、ケース体が、一側面が開放される枠体部と該枠体部に重合して前記一側面を覆うことにより前記供給通路及び排出通路が形成される側壁板部とを備え、前記枠体部と側壁板部をそれぞれ互いに一側縁で連接部を介し必要個数連結して一体に成形されることから、これら枠体部、側壁板部を折り重ね、しかも係合部と被係合部を係合させるのみでケース体が簡単に組み立てられる。
【０００６】
この種パチンコ球の払出装置は、通常二条の球通路を備えていることから、この場合は、ケース体が、一側面が開放される２個の枠体部と該各枠体部に重合して前記一側面を覆うことにより前記供給通路及び排出通路が形成される１個の側壁板部とからなり、前記側壁板部の対向する両側縁で連接部を介し各枠体部が連結されるようにして一体に成形される。
【０００７】
また、球通路すなわち供給通路及び排出通路が三条、四条またはそれ以上であっても良く、これらの場合は前記枠体部、側壁板部をそれぞれ必要個数連結してケース体が形成される。また、逆に一条の場合は、１個の枠体部と１個の側壁板部を連結して形成される。このようにしても、前記と同様にしてケース体が組立てられる。
【０００８】
【発明の実施の形態】
以下、本発明に係るパチンコ球の払出装置（以下、単に払出装置という。）の実施の形態を図面に基づき説明する。この払出装置は、例えばパチンコ機の裏側に装着され景品球または貸球の払い出し、同じくパチンコ機の裏側に装着され入賞球の処理、更には多くのパチンコ機が設置される島台においてその上部に配設される配給樋から各パチンコ機に供給されるパチンコ球のカウント等に利用される。
【０００９】
図１は払出装置の斜視図、図２はケース体の展開斜視図、図３は同正面図、図４は同背面図をそれぞれ示す。払出装置１は、略直方体形状に形成されるケース体２にパチンコ球を一個づつ送り出すための送出手段、すなわち後記する駆動源としての駆動モータ２６や排出されるパチンコ球を電気的に検出するための検出センサ３２が装着される。
【００１０】
前記ケース体２は、合成樹脂製であって左右一対の枠体部３,４と、これら枠体部３,４とほぼ同じ大きさの側壁板部５とからなる。該側壁板部５は、その一側縁５ａが前記一方の枠体部３の一側縁角部３ａに連接部６を介して一体に連結され、また、前記一側縁５ａと対向する他側縁５ｂが前記他方の枠体部４の一側縁角部４ａに連接部６を介して一体に連結される。これにより、前記各連接部６で各枠体部３,４を互いに側壁板部５側に折り重ねることにより該側壁板部５を挟んで各枠体部３,４が並置して重なるようになっている。前記連接部６は折り曲げが容易にできるように薄肉に成形される。
【００１１】
前記一方の枠体部３は、側壁板部５と接する内側面が開放され、また外側面には外板７が設けられる。そして、中央上部位置にパチンコ球が連続して供給される縦向きの一条の供給通路８が形成される。また、該供給通路８の下流側に略半円状の回転体収納部９が形成され、更に該回転体収納部９の下方にはパチンコ球の排出通路１０が形成される。これら供給通路８等は片面が開放されている。
【００１２】
また、前記外板７の中央部位置には外端で開放しかつ奥端が前記回転体収納部９のほぼ中心に達する横向きの軸導入溝１１が設けられ、その内側に該軸導入溝１１に沿って外端で開放しかつ奥端が前記回転体収納部９と連通する横向きの導入空間Ｓが形成される。これは後記する回転体３０を挿通するためのものである。一方、外板７の連接部６側には側壁板部５に亘り切欠孔１２が開設される。該切欠孔１２の一側には先端に係止爪１３ａを有する弾性係止片１３が配設される。この切欠孔１２は検出センサ３２を介装するためのものである。更に、前記枠体部３の開放面側の外側部上下位置に先端に係合部としての係止爪１４ａを有する弾性係止片１４が設けられる。
【００１３】
前記他方の枠体部４は、側壁板部５と接する内側面が開放され、外側面には外板１５が設けられる。そして、中央上部位置に前記と同様にパチンコ球が連続して供給される一条の縦向きの供給通路１６が形成される。また、該供給通路１６の下流側に略半円状の回転体収納部１７が形成され、更に該回転体収納部１７の下方にはパチンコ球の排出通路１８が形成される。これら供給通路１６等は片面が開放されている。
【００１４】
また、前記外板７の中央部位置には前記該軸導入溝１１と位置的に合致して外端で開放しかつ奥端が前記回転体収納部１７のほぼ中心に達する横向きの軸導入溝１９が設けられる。そして、その内側に前記軸導入溝１９に沿って外端で開放しかつ奥端が前記回転体収納部１７と連通する横向きの導入空間Ｓが形成される。一方、外板７の連接部６と対向する側には前記切欠孔１２と連通する切欠孔２０が開設され、該切欠孔２０の一側に先端に係止爪２１ａを有する弾性係止片２１が配設される。更に、前記外板１５の外側面には前記回転体収納部１７の中心点を中心とする環状リブ２２が設けられ、該環状リブ２２の上下部に螺子孔２３が設けられる。該環状リブ２２は駆動モータ２６とほぼ同じ外径を有する。これは該駆動モータ２６を装着するためのものである。また、前記枠体部４の開放面側の外側上下位置に先端に係合部としての係止爪１４ａを有する弾性係止片１４が設けられる。
【００１５】
前記側壁板部５には、他方の枠体部４側が開放し奥端が前記両回転体収容部９,１７に達する回転体導入口２４が開設される。これにより、側壁板部５を挟んで両枠体部３，４を重合したとき、回転体導入口２４を介して前記両導入空間Ｓ、更には両軸導入溝１１，１９が連通することになる。また、前記側壁板部５の上下左右の各四隅部に前記各弾性係止片１４，１４の係止爪１４ａが係脱自在に係合する被係合部としての係合孔２５が設けられる。
【００１６】
２６は送出手段としての駆動モータであり、両側に取付孔２７を開設した取付片２８が設けられる。そして、モータ軸２９には図８に示すように送出手段としての回転体３０が固着される。該回転体３０は、モータ軸２９と直交する中間板３０ｂを挟んで左右対称な二枚の羽根３１，３１を備え、該各羽根３１，３１がそれぞれ前記回転体収納部９，１７に位置するようになっている。
【００１７】
３２はパチンコ球の検出センサであり、平面コ字型をなし、一対の腕片３２ａ,３２ａの先端対向面に発光部と該発光部からの光を受光する受光部とを備えてなり、これによりパチンコ球を検出するようになっている。
【００１８】
本発明に係る払出装置は上記構成からなり、以下にその組立手順を説明する。まず、図５に示すように一方の枠体部３を連接部６を中心として矢示方向に回動させ側壁板部５の一側面に折り重ね、図６に示すように各弾性係止片１４の係止爪１４ａを各係合孔２５に係合させる。次に、他方の枠体部４を同様にして連接部６を中心として図６の矢示方向に回動させ前記側壁板部５の他側面に折り重ね、各弾性係止片１４の係止爪１４ａを各係合孔２５に係合させる。これにより、図７に示すように前記側壁板部５の両側に該側壁板部５を挟むようにして両枠体部３,４が並設され組み立てられる。
【００１９】
このようにして組み立てられたケース体２に対し、図８に示すように前記回転体３０の両軸部３０ａを軸導入溝１１,１９に挿入すると共に前記回転体３０の各羽根３１，３１を導入空間Ｓを介して回転体収容部９,２４にそれぞれ収容させる。この際、駆動モータ２６は前記環状リブ２２の外周面に位置することとなり、各取付孔２７を介して各螺子孔２３にビス３３を螺締めすることにより駆動モータ２６が固着される。
【００２０】
また、検出センサ３２の各腕片３２ａを各切欠孔１２，２０内に挿入し、その後端部を弾性係止片１３の係止爪１３ａと弾性係止片２１の係止爪２１ａとに掛止することにより固定させる。このとき、両腕片３２ａの先端部は両回転体収容部９,１７のほぼ両横真下に位置し、回転体３０の回転により排出通路１０，１８側に排出されるパチンコ球を検出する。そこで、前記両供給通路８，１６に供給されるパチンコ球は回転体３０の各羽根３１，３１により１個づつ交互に切られて送り出され、同時に検出センサ３２で検出されつつ各排出通路１０，１８に排出されることとなる。
【００２１】
前記検出センサ３２の各腕片３２ａ，３２ａは、その先端部が図９に示すように各切欠孔１２，２０の奥端部に該各切欠孔１２，２０と連通して設けられる凹穴部１２ａ，２０ａ内に位置するようになっている。これは、折り重ねられ組立てられた両枠体部３，４とこれらの中間に位置する側壁板部５を前記各腕片３２ａ，３２ａによって三者一体に挟むようにして、仮に前記各係止爪１４ａと各係合孔２５との係合が緩んでいてもケース体２の重合状態をガタつくことなくしっかりと保持し、パチンコ球の払出動作に支障をきたさないようにするためである。
【００２２】
図１０は他の実施の形態に係るケース体２ａを示すもので、該ケース体２ａは１個の枠体部４１とこれと連結される１個の側壁板部５１とからなる。この場合は、枠体部４１に一条の供給通路１６等が設けられるにすぎないことから、側壁板部５１に軸導入溝３４が設けられる。また、側壁板部５１の連接部６と対向する端縁側の一側面上下部に先端に係止爪３５ａを有する弾性係止片３５が突設されている。更に、同端縁側の切欠孔１２に検出センサ３２の抜け止めのため先端に係止爪３６ａを有する弾性係止片３６が配設される。
【００２３】
一方、前記枠体部４１には連接部６と対向する端縁側の上下部に前記各係止爪３５ａが係合する係合孔３７が設けられている。なお、他の部位は本実施の形態と同一なので同一符号を付すことにより詳しい説明は割愛する。そして、前記枠体部４１を連接部６を中心として図１０矢示方向に回動させ側壁板部５１の一側面に折り重ね、各弾性係止片３５の係止爪３５ａを各係合孔３７に係合させる。図示は省略するが、回転体を装着した駆動モータや検出センサは上記ケース体２ａに合った大きさに設定される。このような構成としても本実施の形態と同様な作用、効果が得られる。
【００２４】
図１１も他の実施の形態に係るケース体２ｂを示すもので、該ケース体２ｂは３個の枠体部３，４，４２と１個の側壁板部５とからなる。よって、各枠体部３，４，４２にそれぞれ一条の供給通路８，１６，３８と排出通路１０，１８，３９が設けられ、合計三条使用できることになっている。すなわち、本実施の形態に係るケース体２であって、一方の枠体部３の一側縁角部に更に枠体部４２の一側縁角部が連接部６を介し追加して連結される。このため、前記一方の枠体部３の外板７に、回転体導入口４０が設けられ、側壁板部５側の上下部に係合孔４３が設けられる。
【００２５】
また、前記追加して連結された枠体部４２には、軸導入溝４４が開設され、連接部６と対向する端縁側の上下部に先端に係止爪４５ａを有する弾性係止片４５が突設される。更に、同側に切欠孔４６が開設され、該切欠孔４６に検出センサ３２の抜け止めのため先端に係止爪４７ａを有する弾性係止片４７が配設されている。他の部位は本実施の形態と同様なので同一符号を付すことにより詳しい説明は割愛する。
【００２６】
そこで、この場合は側壁板部５を挟んだ両側の各枠体部３，４は本実施の形態の説明と同様にして図１１の矢示方向イ，ロに折り重ねられ前記側壁板部５に重合される。また、追加された枠体部４２は連接部６を中心として図１１の矢示方向ハに示すように一方の枠体部３の外板７に折り重ねられ、両弾性係止片４５の係止爪４５ａを両係合孔４３に係合させて重ね合わされる。このようにして一体に組立てられる。この場合も、図示は省略するが、回転体を装着した駆動モータや検出センサは上記ケース体２ｂに合った大きさに設定される。
【００２７】
図１２も他の実施の形態に係るケース体２ｃを示すものである。すなわち該ケース体２ｃは、本実施の形態のケース体２であって、枠体部３の一側隅角部３ａと対角線位置にある他側隅角部３ｂに連接部６を介して側壁板部５２の他側縁５２ｂを連結し、更に該側壁板部５２の一側縁５２ａに本実施の形態に係る一方の枠体部３の一側縁角部３ａを連結した構成からなる。よって、３個の枠体部３，３，４と２個の側壁板部５，５２とからなる。そして、前記と同様に各枠体部３，３，４にそれぞれ一条の供給通路８，８，１６と排出通路１０，１０，１８が設けられ、合計三条使用できることになっている。
【００２８】
このケース体２ｃにあっては、３個の枠体部３，３，４と２個の側壁板部５，５２を折り重ねて組立てる関係上、中央の枠体部３に側壁板部５２の回転体導入口２４と連通する回転体導入口４８が開設され、一側縁側すなわち側壁板部５側の外板７の外側面上下部に前記側壁板部５２の係合孔２５に係合するため先端に係止爪４９ａを有する係止片４９が突設される。また、切欠孔１２には本実施の形態のように弾性係止片１３が配設されてない。なお、他の部位は本実施の形態と同一なので同一符号を付すことにより詳しい説明は割愛する。
【００２９】
そこで、一方の端にある枠体部３を連接部６を中心として図１２の矢視方向イに示すように側壁板部５２に折り重ね各係合爪１４ａを係合孔２５に係合させ、更に前記側壁板部５２を連接部６を中心として図１２の矢視方向ロに示すように中央の枠体部３の外板７に折り重ね、各係止爪４９ａを各係合孔２５に係合させる。次に、他方の端にある枠体部４を連接部６を中心として図１２の矢視方向ハに示すように側壁板部５に折り重ね、各係合爪１４ａを各係合孔２５に係合させる。最後に、該側壁板部５を連接部６を中心として図１２の矢視方向二に示すように中央の枠体部３の開放面に折り重ね、各係止爪１４ａを各係合孔２５に係合させる。このようにしても、ケース体２ｃを組立てることができる。
【００３０】
なお、以上実施の形態にあっては、枠体部が１個乃至３個のケース体について説明したが、更に追加して４個、５個またはそれ以上でも良いこと勿論である。また、いずれの実施の形態においても、枠体部、側壁板部を係合部と被係合部との係合により重ね合わせ固定するようにしていたが、仮に、係合部と被係合部がなくとも、ビスによる駆動モータの取付時に前記各枠体部と側枠板部を共に一体に螺子止めして固定するようにしても良く、このようにすればさらなる作業性の向上が図られる。
【００３１】
【発明の効果】
以上説明したように本発明に係るパチンコ球の払出装置は、合成樹脂により箱状に形成されるケース体に供給通路とパチンコ球を１個づつ送り出す送出手段と排出通路とを備えてなるパチンコ球の払出装置において、前記ケース体は、一側面が開放される枠体部と該枠体部に重合して前記一側面を覆うことにより前記供給通路及び排出通路が形成される側壁板部とを備え、かつ前記枠体部と側壁板部をそれぞれ互いに一側縁で連接部を介し必要個数連結して一体に成形され、前記枠体部と側壁板部には互いに重合することにより係合し得る係合部と被係合部をそれぞれ設けた構成からなるので、前記枠体部と側壁板部とを前記連接部を中心として互いに折り重ね前記係合部と被係合部を係合させるのみでケース体を組み立てることができる。よって、組付作業が非常に簡単で楽に行なえ、これにより作業性の向上が図られるという効果がある。
【００３２】
また、枠体部と側壁板部とはいずれも連接され一体に成形されることから、部品点数が減りその分製品管理が容易になる。更に、ケース体は一個の金型で済み、これに伴い金型費も軽減でき、引いて製品コストの低廉も可能となる。
【図面の簡単な説明】
【図１】  本発明に係るパチンコ球の払出装置の斜視図。
【図２】  ケース体の展開斜視図。
【図３】  同展開正面図。
【図４】  同展開背面図。
【図５】  同組立手順を示す平面図。
【図６】  同組立手順を示す平面図。
【図７】  同組立られた状態を示す平面図。
【図８】  パチンコ球の払出装置を組立てる状態を示す平面図。
【図９】  パチンコ球の払出装置の一部断面平面図。
【図１０】  他の実施の形態に係るケース体の斜視図。
【図１１】  他の実施の形態に係るケース体の斜視図。
【図１２】  他の実施の形態に係るケース体の斜視図。
【符号の説明】
１                        払出装置
２，２ａ，２ｂ，２ｃ      ケース体
３                        枠体部
４，４１，４２            枠体部
５，５１，５２            側壁板部
５ａ                      一側縁
６                        連接部
８                        供給通路
９                        回転体収納部
１０                      排出通路
１１                      軸導入溝
１４ａ                    係合部（係止爪）
１６                      供給通路
１７                      回転体収納部
１８                      排出通路
１９                      軸導入溝
２１ａ                    係合部（係止爪）
２５                      被係合部（係合孔）
２６                      送出手段（駆動モータ）
３０                      送出手段（回転体）
３４                      軸導入溝
３５ａ                    係合部（係止爪）
３８                      供給通路
３９                      排出通路
４４                      軸導入溝
４５ａ                    係合部（係止爪）
４９ａ                    係合部（係止爪）
【図１】
0003921342.tif 000002
【図２】
0003921342.tif 000003
【図３】
0003921342.tif 000004
【図４】
0003921342.tif 000005
【図５】
0003921342.tif 000006
【図６】
0003921342.tif 000007
【図７】
0003921342.tif 000008
【図８】
0003921342.tif 000009
【図９】
0003921342.tif 000010
【図１０】
0003921342.tif 000011
【図１１】
0003921342.tif 000012
【図１２】
0003921342.tif 000013